(57)【要約】      （修正有）【課題】短時間で組立・分解が可能であって、かつ脚部などのユニットと木製連結材との接合強度が高い木製陳列台を提供する。【解決手段】木製陳列台１０は、端部ユニット１１、１３、中間ユニット１２、木製連結材１４ａ、１４ｂ及び木製平板１６ａ、１６ｂを備え、木製連結材は、端部ユニットと中間ユニットとの間を連結する。木製平板は、端部ユニットと中間ユニットとの間に架け渡され、商品が載置可能である。また、端部ユニット及び中間ユニットにはメス側金具が取り付けられ、木製連結材の両端面にはオス側金具７１が取り付けられる。オス側金具には断面略Ｔ字状の突部が設けられ、メス側金具には、突部が係脱可能であって下端側が幅狭となる孔部が設けられる。【選択図】図１
0003222228.tif 000002
【実用新案登録請求の範囲】
【請求項１】
両端に立設される木製の一対の端部ユニットと、
前記一対の端部ユニットの間に立設される木製の中間ユニットと、
前記端部ユニットと前記中間ユニットとの間、または、隣接する前記中間ユニット同士を連結する木製連結材と、
前記端部ユニットと前記中間ユニットとの間、または、隣接する前記中間ユニット間に架け渡される木製平板と
を備え、前記木製平板に商品が載置可能な木製陳列台であって、
前記端部ユニット及び前記中間ユニットにメス側金具が取り付けられ、
前記木製連結材の両端面に、前記メス側金具に係合するオス側金具が取り付けられ、
前記オス側金具に、同オス側金具の表面から突出する断面略Ｔ字状の突部が設けられ、
前記メス側金具に、前記突部が係脱可能であって下端側が幅狭となる孔部が設けられる
ことを特徴とする木製陳列台。
【請求項２】
前記端部ユニット及び前記中間ユニットは、脚部、または、商品が載置可能な平台であることを特徴とする請求項１に記載の木製陳列台。
【請求項３】
前記端部ユニットと前記中間ユニットとの間、または、隣接する前記中間ユニット間に、木製補強材が架け渡されていることを特徴とする請求項１または２に記載の木製陳列台。
【請求項４】
請求項１乃至３のいずれか１項に記載の木製陳列台を組み立てるためのパーツセットであって、
前記メス側金具が予め取り付けられた前記端部ユニットと、前記メス側金具が予め取り付けられた前記中間ユニットと、両端面に前記オス側金具が予め取り付けられた前記木製連結材と、前記木製平板とを含むことを特徴とする木製陳列台のパーツセット。
【考案の詳細な説明】
【技術分野】
【０００１】
本考案は、店内において商品を陳列する際に用いる木製陳列台、木製陳列台のパーツセットに関するものである。
【背景技術】
【０００２】
近年、店内において野菜や果物などの商品を見栄え良く陳列するための手段として、木製の陳列台を用いることが増えつつある（例えば、特許文献１参照）。この種の陳列台は、基本的に、複数の木製の脚部、隣接する脚部の上端部同士を連結する木製連結材、隣接する脚部間に架け渡される木製平板等のパーツによって構成されている。なお、商品は、一般的には木製平板の上面に陳列される。
【０００３】
ところで、一般的に、木製陳列台は、工場や専門店等から完成品を店内に搬入、施工することにより、使用可能となる。ところが、完成品を搬入する場合には、大きくて嵩張る木製陳列台を搬送する必要があるため、運搬等に高いコストを要するという問題がある。そこで、近年、上記の各部品を搬入先にて組み立てる方式（組立式）の木製陳列台が販売されている。
【先行技術文献】
【特許文献】
【０００４】
【特許文献１】実用新案登録第３２１９８７７号公報（図１等）
【考案の概要】
【考案が解決しようとする課題】
【０００５】
しかしながら、組立式の木製陳列台は、ボルト及びナットでの組立式が大半を占めるため、組み立てに時間が掛かりすぎるという問題がある。また、上記したように、この種の陳列台は、隣接する脚部同士を木製連結材で連結することにより構成されるため、両者の連結時に脚部が倒れたり、脚部と木製連結材との接合部分が破損するなどの問題がある。さらに、木製陳列台は、組み立てることは考慮しているものの、分解することまでは考慮して設計されていない。よって、木製陳列台を分解するためには、大量のボルト及びナットを取り外す等の作業が必要である。従って、店内でのレイアウト変更を行うときに、木製陳列台を分解して移設することは困難である。また、分解、移設時において、上記した接合部分が破損しやすいという問題もある。
【０００６】
本考案は上記の課題に鑑みてなされたものであり、その目的は、短時間で組立・分解が可能であって、かつ脚部などのユニットと木製連結材との接合強度が高い木製陳列台を提供することにある。また、別の目的は、運搬が容易であって、木製陳列台を短時間で組み立てることが可能な木製陳列台のパーツセットを提供することにある。
【課題を解決するための手段】
【０００７】
上記課題を解決するために、請求項１に記載の考案は、両端に立設される木製の一対の端部ユニットと、前記一対の端部ユニットの間に立設される木製の中間ユニットと、前記端部ユニットと前記中間ユニットとの間、または、隣接する前記中間ユニット同士を連結する木製連結材と、前記端部ユニットと前記中間ユニットとの間、または、隣接する前記中間ユニット間に架け渡される木製平板とを備え、前記木製平板に商品が載置可能な木製陳列台であって、前記端部ユニット及び前記中間ユニットにメス側金具が取り付けられ、前記木製連結材の両端面に、前記メス側金具に係合するオス側金具が取り付けられ、前記オス側金具に、同オス側金具の表面から突出する断面略Ｔ字状の突部が設けられ、前記メス側金具に、前記突部が係脱可能であって下端側が幅狭となる孔部が設けられることを特徴とする木製陳列台をその要旨とする。
【０００８】
請求項１に記載の考案によれば、木製連結材に取り付けられたオス側金具の突部を、端部ユニット及び中間ユニットに取り付けられたメス側金具の孔部に係合させるだけで、端部ユニット及び中間ユニットを木製連結材を介して連結することができる。また、オス側金具の突部をメス側金具の孔部から取り外すだけで、端部ユニットと中間ユニットとの間、または、隣接する中間ユニットの間から木製連結材を取り外すことができる。つまり、端部ユニット及び中間ユニットの連結や取り外しに必要最小限のボルト等を用いれば済むため、端部ユニット及び中間ユニットの連結や取り外しを短時間で行うことができ、ひいては、木製陳列台を短時間で組立・分解することができる。また、オス側金具の突部は断面略Ｔ字状をなすため、突部が例えば板状をなす場合に比べて強度が高い。よって、端部ユニットと木製連結材との接合部分や、中間ユニットと木製連結材との接合部分に外力が作用したとしても、接合部分が破損しにくくなるため、端部ユニットと木製連結材との接合強度や、中間ユニットと木製連結材との接合強度を高めることができる。なお、「断面略Ｔ字状の突部」とは、例えば、オス側金具の表面に接続される軸部と、軸部に接続されかつ外径が軸部の外径よりも大きく設定された頭部とを備える突部をいう。
【０００９】
請求項２に記載の考案は、請求項１において、前記端部ユニット及び前記中間ユニットは、脚部、または、商品が載置可能な平台であることをその要旨とする。
【００１０】
請求項２に記載の考案によれば、端部ユニットや中間ユニットとして、部品点数が平台よりも少ない脚部を用いる場合、木製陳列台を低コストで製造することができる。また、脚部は平台よりも設置面積が小さいため、省スペースで木製陳列台を設置することができる。一方、端部ユニットや中間ユニットとして、脚部よりも設置面積が大きく安定性が高い平台を用いる場合、平台に対して木製連結材を連結する際に平台が倒れにくくなるため、木製陳列台の組立時の作業性を向上させることができる。しかも、平台は、商品が載置可能であるため、脚部に代えて平台を用いることにより、商品の陳列面積を容易に増やすことができる。
【００１１】
請求項３に記載の考案は、請求項１または２において、前記端部ユニットと前記中間ユニットとの間、または、隣接する前記中間ユニット間に、木製補強材が架け渡されていることをその要旨とする。
【００１２】
請求項３に記載の考案によれば、端部ユニットと中間ユニットとの間、または、隣接する中間ユニット間に木製補強材を架け渡すことにより、端部ユニットと中間ユニットとの間、または、隣接する中間ユニットの間を、木製連結材だけでなく木製補強材も介して連結することができる。つまり、ユニット同士を連結する部材が増加するため、隣接するユニット同士の連結強度を高くすることができる。
【００１３】
請求項４に記載の考案は、請求項１乃至３のいずれか１項に記載の木製陳列台を組み立てるためのパーツセットであって、前記メス側金具が予め取り付けられた前記端部ユニットと、前記メス側金具が予め取り付けられた前記中間ユニットと、両端面に前記オス側金具が予め取り付けられた前記木製連結材と、前記木製平板とを含むことを特徴とする木製陳列台のパーツセットをその要旨とする。
【００１４】
請求項４に記載の考案によると、端部ユニットや中間ユニットにメス側金具が予め取り付けられ、木製連結材の両端面にオス側金具が予め取り付けられている。このため、請求項４に記載のパーツセットを用いて木製陳列台を組み立てる際に、端部ユニットや中間ユニットにメス側金具を取り付ける作業や木製連結材にオス側金具を取り付ける作業が不要になる。従って、部品を簡単に運搬して、木製陳列台を短時間で簡単に組み立てることができる。
【考案の効果】
【００１５】
以上詳述したように、請求項１〜３に記載の考案によると、短時間で組立・分解が可能であって、かつ脚部などのユニットと木製連結材との接合強度が高い木製陳列台を提供することができる。また、請求項４に記載の考案によると、運搬が容易であって、木製陳列台を短時間で組み立てることが可能な木製陳列台のパーツセットを提供することができる。
【図面の簡単な説明】
【００１６】
【図１】第１実施形態における木製陳列台を示す斜視図。
【図２】図１のＡ−Ａ線断面図。
【図３】図１のＢ−Ｂ線断面図。
【図４】木製陳列台を示す分解斜視図。
【図５】（ａ）は外側脚部を示す上面図、（ｂ）は外側脚部を示す内面図。
【図６】（ａ）は内側脚部を示す上面図、（ｂ）は内側脚部を示す側面図。
【図７】（ａ）は端部側平台を示す背面図、（ｂ）は端部側平台を示す上面図。
【図８】（ａ）は木製連結材を示す正面図、（ｂ）は木製連結材を示す側面図。
【図９】木製補強材を示す側面図。
【図１０】木製平板を示す平面図。
【図１１】外側脚部と木製連結材との関係を示す斜視図。
【図１２】メス側金具とオス側金具との関係を示す斜視図。
【図１３】外側脚部と木製補強材との関係を示す斜視図。
【図１４】（ａ）はオス側金具の正面図、（ｂ）はオス側金具の側面図、（ｃ）はオス側金具の側断面図、（ｄ）はオス側金具の上面図。
【図１５】（ａ）はメス側金具の正面図、（ｂ）はメス側金具の側面図、（ｃ）はメス側金具の裏面図、（ｄ）はメス側金具の上面図。
【図１６】第２実施形態における木製陳列台を示す斜視図。
【図１７】第２実施形態における木製陳列台を示す分解斜視図。
【図１８】第３実施形態における木製陳列台を示す斜視図。
【図１９】第３実施形態における木製陳列台を示す分解斜視図。
【図２０】他の実施形態における木製陳列台を示す斜視図。
【図２１】他の実施形態における木製陳列台を示す斜視図。
【図２２】他の実施形態における木製陳列台を示す斜視図。
【考案を実施するための形態】
【００１７】
以下、本考案を具体化した木製陳列台の一実施形態を図面に基づき詳細に説明する。
【００１８】
図１〜図４に示されるように、本実施形態の木製陳列台１０は、店内において野菜や果物などの商品を見栄え良く陳列する際に用いられるものである。この木製陳列台１０は、外側脚部１１（端部ユニット）、内側脚部１２（中間ユニット）、端部側平台１３（端部ユニット）、木製連結材１４ａ，１４ｂ、木製補強材１５ａ，１５ｂ及び木製平板１６ａ，１６ｂを備えている。脚部１１，１２、端部側平台１３、木製連結材１４ａ，１４ｂ、木製補強材１５ａ，１５ｂ、木製平板１６ａ，１６ｂはいずれも木製であって、本実施形態では塗装仕上げされたパイン材を用いて加工されている。なお、脚部１１，１２、端部側平台１３、木製連結材１４ａ，１４ｂ、木製補強材１５ａ，１５ｂ、木製平板１６ａ，１６ｂの材料として、パイン材以外の木材を用いても勿論構わない。
【００１９】
また、本実施形態の木製陳列台１０では、外側脚部１１と内側脚部１２と端部側平台１３とを備えている。外側脚部１１及び端部側平台１３は、両端に立設されており、内側脚部１２は、外側脚部１１と端部側平台１３との間に立設されている。図１，図２，図４，図５，図１１に示されるように、外側脚部１１は、略四角柱状をなす一対の柱部２１と、両柱部２１の上端部同士を連結する略四角柱状の上側連結部２２と、両柱部２１の下端部同士を連結する略四角柱状の下側連結部２３とを有している。また、上側連結部２２の上面２２ａには、木製平板１６ａ，１６ｂに載置された商品の落下を防止するこぼれ止め板２４が取り付けられている。こぼれ止め板２４は、略矩形板状をなし、上側連結部２２の長手方向に沿って延びている。さらに、上側連結部２２の内面２２ｂには、同上側連結部２２の長手方向に沿って延びる略矩形板状の補強材２５が貼付されている。補強材２５の中央部には、上面及び内面にて開口する切欠凹部２６（図１３参照）が形成されている。また、両柱部２１の下端面には、キャスター２７がそれぞれ取り付けられている。
【００２０】
一方、内側脚部１２は、外側脚部１１と同様の構成を有している。即ち、図１，図２，図４，図６に示されるように、内側脚部１２は、略四角柱状をなす一対の柱部３１と、両柱部３１の上端部同士を連結する略四角柱状の上側連結部３２と、両柱部３１の下端部同士を連結する略四角柱状の下側連結部３３とを有している。また、上側連結部３２の側面３２ａ，３２ｂには、同上側連結部３２の長手方向に沿って延びる略矩形板状の補強材３４がそれぞれ取り付けられている。各補強材３４の中央部には、上面及び側面にて開口する切欠凹部３５ａ，３５ｂが形成されている。また、両柱部３１の下端面には、キャスター２７がそれぞれ取り付けられている。
【００２１】
図１，図２，図４，図７に示されるように、端部側平台１３は、平面視Ｕ字状をなす壁部４１と、壁部４１を下端から支持する平面視略半円状の底板部４２と、壁部４１の上端面全体に接続される平面視Ｕ字状の梁部４３と、梁部４３の両端部同士を連結する略四角柱状の上側連結部４４とを備えている。また、梁部４３上及び上側連結部４４上には、商品が載置可能な木製平板４５が載置され、壁部４１の上端部における外側面には、木製平板４５に載置された商品の落下を防止するこぼれ止め板４６が取り付けられている。こぼれ止め板４６は、壁部４１の上端部に沿って延びており、平面視Ｕ字状をなしている。また、上側連結部４４の側面４４ａには、同上側連結部４４の長手方向に沿って延びる略矩形板状の補強材４７が貼付されている。補強材４７の中央部には、上面及び側面にて開口する切欠凹部４８が形成されている。また、底板部４２の下面には、複数のキャスター２７が取り付けられている。
【００２２】
図１〜図４，図８，図１１に示されるように、外側脚部１１及び内側脚部１２は、一対の木製連結材１４ａを介して連結されている。また、内側脚部１２及び端部側平台１３も、一対の木製連結材１４ｂを介して連結されている。木製連結材１４ａ，１４ｂは、略矩形板状をなしており、こぼれ止め板４６の高さと同一の高さを有している。また、木製連結材１４ａ，１４ｂの裏面５１には、同木製連結材１４ａ，１４ｂの長手方向に沿って延びる略矩形板状の補強材５２が貼付されている。
【００２３】
さらに、図２〜図４，図９，図１３に示されるように、木製補強材１５ａは、外側脚部１１と内側脚部１２との間に架け渡されている。また、木製補強材１５ｂは、内側脚部１２と端部側平台１３との間に架け渡されている。木製補強材１５ａ，１５ｂの両端部には、同木製補強材１５ａ，１５ｂの端面及び下面にて開口する切欠部６１が設けられている。そして、木製補強材１５ａの一方の端部を外側脚部１１の切欠凹部２６に挿入するとともに（図１３参照）、木製補強材１５ａのもう一方の端部を内側脚部１２の切欠凹部３５ａに挿入することにより、木製補強材１５ａが外側脚部１１と内側脚部１２との間に架け渡される。また、木製補強材１５ｂの一方の端部を内側脚部１２の切欠凹部３５ｂに挿入するとともに、木製補強材１５ｂのもう一方の端部を端部側平台１３の切欠凹部４８に挿入することにより、木製補強材１５ｂが内側脚部１２と端部側平台１３との間に架け渡される。
【００２４】
また、図１〜図４，図１０に示されるように、外側脚部１１と内側脚部１２との間には、一対の木製平板１６ａが架け渡されている。また、内側脚部１２と端部側平台１３との間には、一対の木製平板１６ｂが架け渡されている。各木製平板１６ａ，１６ｂは、略矩形板状をなしており、長手方向に沿って延びる辺６２の両端にそれぞれコーナー切欠部６３を有している。コーナー切欠部６３は、木製平板１６ａ，１６ｂを設置した際に、外側脚部１１の柱部２１や内側脚部１２の柱部３１との干渉を避けるためのものである。また、各木製平板１６ａ，１６ｂの四隅には、ネジ貫通孔６４が設けられている。そして、両木製平板１６ａのネジ貫通孔６４にネジ６５を挿通し、それぞれのネジ貫通孔６４を挿通したネジ６５の先端部を、外側脚部１１の補強材２５や内側脚部１２の補強材３４に螺着させることにより、両木製平板１６ａが脚部１１，１２に取り付けられる。また、両木製平板１６ｂのネジ貫通孔６４にネジ６５を挿通し、それぞれのネジ貫通孔６４を挿通したネジ６５の先端部を内側脚部１２の補強材３４や端部側平台１３の補強材４７に螺着させることにより、両木製平板１６ｂが内側脚部１２や端部側平台１３に取り付けられる。その結果、木製平板１６ａ，１６ｂに商品が載置可能となる。
【００２５】
図４，図８，図１１に示されるように、木製連結材１４ａ，１４ｂの両端面５３には、オス側金具７１がそれぞれ取り付けられている。具体的に言うと、オス側金具７１には、複数のオス側金具用ネジ孔７２が設けられている。これらのオス側金具用ネジ孔７２にネジ（図示略）を挿通し、それぞれのオス側金具用ネジ孔７２を挿通したネジの先端部を木製連結材１４ａ，１４ｂに螺着させることにより、オス側金具７１が木製連結材１４ａ，１４ｂの端面５３に取り付けられる。また、オス側金具７１は、木製連結材１４ａ，１４ｂの高さ方向に沿って延びる矩形板状をなしている。
【００２６】
図８，図１１，図１２，図１４に示されるように、オス側金具７１には、同オス側金具７１の表面７３から突出する一対の突部７４が設けられている。両突部７４は、オス側金具７１の長手方向において互いに離間配置されている。また、突部７４は、断面略Ｔ字状をなし、軸部７５及び頭部７６を備えている。軸部７５は、円柱状をなしており、基端面がオス側金具７１の表面７３に接続されている。頭部７６は、円板状をなしており、中央部が軸部７５の先端面に接続されている。即ち、頭部７６の外径は、軸部７５の外径よりも大きくなっている。さらに、オス側金具７１は、同オス側金具７１の右側または左側の外縁部（図１４（ａ）では右側の外縁部）を直角に折り曲げてなる折曲部７７を有している。なお、折曲部７７には複数の折曲部用ネジ孔７８が設けられている。これらの折曲部用ネジ孔７８にネジ（図示略）を挿通し、それぞれの折曲部用ネジ孔７８を挿通したネジの先端部を木製連結材１４ａ，１４ｂに螺着させることにより、折曲部７７が木製連結材１４ａ，１４ｂの表面５４に取り付けられる。
【００２７】
図４〜図７，図１１，図１２，図１５に示されるように、外側脚部１１を構成する柱部２１の内面２１ａの上端部、内側脚部１２を構成する柱部３１の一対の側面３１ａの上端部、及び、端部側平台１３を構成するこぼれ止め板４６の両端面４６ａには、オス側金具７１が係脱可能なメス側金具８１がそれぞれ取り付けられている。具体的に言うと、メス側金具８１には、複数のメス側金具用ネジ孔８２が設けられている。これらのメス側金具用ネジ孔８２にネジ（図示略）を挿通し、それぞれのメス側金具用ネジ孔８２を挿通したネジの先端部を柱部２１，３１やこぼれ止め板４６に螺着させることにより、メス側金具８１が柱部２１，２２やこぼれ止め板４６に取り付けられる。また、メス側金具８１は、脚部１１，１２やこぼれ止め板４６の高さ方向に沿って延びる矩形板状をなしている。
【００２８】
さらに、メス側金具８１には、オス側金具７１の突部７４が係脱可能であって下端側が幅狭となる一対の孔部８３が設けられている。両孔部８３は、メス側金具８１の長手方向において互いに離間配置されている。また、孔部８３は、略円形状をなす幅広部８４と略矩形状をなす幅狭部８５とからなっている。幅広部８４は、メス側金具８１の上端側に配置されている。なお、幅広部８４の幅Ｗ１は、突部７５の頭部７６の外径Ｌ１よりも大きく設定されている（図１５（ａ）参照）。幅狭部８５は、メス側金具８１の下端側に配置され、幅広部８４に連通している。幅狭部８５の幅Ｗ２は、頭部７６の外径Ｌ１よりも小さく、かつ、突部７４の軸部７５の外径Ｌ２よりも大きく設定されている（図１５（ａ）参照）。また、幅狭部８５の内周縁には、幅狭部８５の内側に突出する突起８６が設けられている。突起８６は、幅狭部８５の最奥部（図１５（ａ），（ｃ）では最下部）に挿入された軸部７５の幅広部８４側への移動（抜け）を防止する抜け止めストッパーである。
【００２９】
図１１，図１２，図１５に示されるように、メス側金具８１の裏面８７には、略矩形板状をなす突片８８が突設されている。突片８８は、メス側金具８１の上端部であって、メス側金具８１の幅方向における中央に配置されており、メス側金具８１の長手方向に沿って延びている。そして、突片８８は、脚部１１，１２の柱部２１，３１や端部側平台１３のこぼれ止め板４６に埋設されるようになっている。また、突片８８には突片用ネジ孔８９が設けられている。突片用ネジ孔８９は、メス側金具８１の長手方向に沿って延びる長円形状をなしている。なお、本実施形態では、柱部２１（または、柱部３１やこぼれ止め板４６）に設けられた貫通孔９０に木ネジ９１を挿通し、貫通孔９０を挿通した木ネジ９１の先端部を突片用ネジ孔８９に螺着している（図１１，図１２参照）。さらに、貫通孔９０内に木ダボ９１ａを打ち込むことにより、貫通孔９０を塞いでいる。その結果、柱部２１，３１やこぼれ止め板４６に対するメス側金具８１の取付強度が高くなる。
【００３０】
次に、木製陳列台１０の組立方法を説明する。
【００３１】
まず、外側脚部１１、内側脚部１２、端部側平台１３、木製連結材１４ａ，１４ｂ、木製補強材１５ａ，１５ｂ、木製平板１６ａ，１６ｂを含むパーツセットを準備する。なお、脚部１１，１２及び端部側平台１３には、メス側金具８１が予め取り付けられており、木製連結材１４ａ，１４ｂの両端面５３には、オス側金具７１が予め取り付けられている。
【００３２】
次に、一対の木製連結材１４ａの端部を外側脚部１１に連結するとともに、一対の木製連結材１４ｂの端部を端部側平台１３に連結する第１工程を行う（図４の〈１〉参照）。続く第２工程では、端部側平台１３に連結された両木製連結材１４ｂのもう一方の端部を、内側脚部１２に対して連結する（図４の〈２〉参照）。この時点で、内側脚部１２及び端部側平台１３が、木製連結材１４ｂを介して互いに連結され、立設状態となる。続く第３工程では、外側脚部１１に連結された両木製連結材１４ａのもう一方の端部を、内側脚部１２に対して連結する（図４の〈３〉参照）。この時点で、外側脚部１１及び内側脚部１２が、木製連結材１４ａを介して互いに連結され、外側脚部１１が立設状態となる。
【００３３】
なお、連結時においては、オス側金具７１をメス側金具８１に係合させる（図４参照）。具体的には、木製連結材１４ａ，１４ｂのそれぞれの端面５３において、オス側金具７１が備える一対の突部７４を、メス側金具８１が備える一対の孔部８３の幅広部８４にそれぞれ挿入する。次に、各突部７４の軸部７５を、幅広部８４に連通する幅狭部８５内に移動させる。その結果、オス側金具７１がメス側金具８１に係合し、木製連結材１４ａ，１４ｂが、脚部１１，１２や端部側平台１３に対して連結される。
【００３４】
さらに、柱部２１（または、柱部３１やこぼれ止め板４６）に設けられた貫通孔９２にそれぞれボルト９３（図１１，図１２参照）を挿通する。貫通孔９２を挿通したボルト９３の先端部は、メス側金具８１の中央部に設けられた貫通孔９４、オス側金具７１の中央部に設けられた貫通孔９５を順番に挿通した後、木製連結材１４ａ，１４ｂの両端部にそれぞれ螺着される。以上の結果、脚部１１，１２や端部側平台１３に対する木製連結材１４ａ，１４ｂの接合強度がよりいっそう高くなる。
【００３５】
その後、外側脚部１１と内側脚部１２との間に木製補強材１５ａを架け渡すとともに、内側脚部１２と端部側平台１３との間に木製補強材１５ｂを架け渡す第４工程を行う（図４の〈４〉参照）。具体的には、木製補強材１５ａの一方の端部を外側脚部１１の切欠凹部２６に挿入して同切欠凹部２６の底面上に載置するとともに（図１３参照）、木製補強材１５ａのもう一方の端部を内側脚部１２の切欠凹部３５ａに挿入して同切欠凹部３５ａの底面上に載置する。また、木製補強材１５ｂの一方の端部を内側脚部１２の切欠凹部３５ｂに挿入して同切欠凹部３５ｂの底面上に載置するとともに、木製補強材１５ｂのもう一方の端部を端部側平台１３の切欠凹部４８に挿入して同切欠凹部４８の底面上に載置する。
【００３６】
続く第５工程では、外側脚部１１と内側脚部１２との間に一対の木製平板１６ａを架け渡すとともに、内側脚部１２と端部側平台１３との間に一対の木製平板１６ｂを架け渡す（図４の〈５〉参照）。具体的には、外側脚部１１の補強材２５の上面上、内側脚部１２の補強材３４の上面上、木製連結材１４ａの補強材５２の上面上、及び、木製補強材１５ａの上面上に対して、一対の木製平板１６ａを載置する。さらに、木製平板１６ａのネジ貫通孔６４を挿通したネジ６５の先端部を、補強材２５，３４に螺着させる。また、内側脚部１２の補強材３４の上面上、端部側平台１３の補強材４７の上面上、木製連結材１４ｂの補強材５２の上面上、及び、木製補強材１５ｂの上面上に対して、一対の木製平板１６ｂを載置する。さらに、木製平板１６ｂのネジ貫通孔６４を挿通したネジ６５の先端部を、補強材３４，４７に螺着させる。この時点で、木製陳列台１０が完成する。
【００３７】
なお、木製陳列台１０を分解するには、まず、木製平板１６ａ，１６ｂ、木製補強材１５ａ，１５ｂを順番に分解する。次に、木製連結材１４ａ側のオス側金具７１が備える突部７４の軸部７５を、外側脚部１１側及び内側脚部１２側のメス側金具８１が備える孔部８３の幅狭部８５内から幅広部８４に移動させた後、突部７４全体を幅広部８４から引き抜く。その結果、オス側金具７１とメス側金具８１との係合が解除され、外側脚部１１と内側脚部１２と木製連結材１４ａとが分解される。同様に、木製連結材１４ｂ側のオス側金具７１が備える突部７４の軸部７５を、内側脚部１２側及び端部側平台１３側のメス側金具８１が備える孔部８３の幅狭部８５内から幅広部８４に移動させた後、突部７４全体を幅広部８４から引き抜く。その結果、オス側金具７１とメス側金具８１との係合が解除され、内側脚部１２と端部側平台１３と木製連結材１４ｂとが分解される。即ち、木製陳列台１０が軽く小さい複数のパーツに分解されるため、各パーツを容易に運搬することが可能となる。
【００３８】
従って、本実施形態によれば以下の効果を得ることができる。
【００３９】
（１）本実施形態の木製陳列台１０では、木製連結材１４ａ，１４ｂに取り付けられたオス側金具７１の突部７４を、脚部１１，１２及び端部側平台１３に取り付けられたメス側金具８１の孔部８３に係合させるだけで、脚部１１，１２及び端部側平台１３を木製連結材１４ａ，１４ｂを介して連結することができる。また、オス側金具７１の突部７４をメス側金具８１の孔部８３から取り外すだけで、外側脚部１１と内側脚部１２との間から木製連結材１４ａを取り外すことができ、内側脚部１２と端部側平台１３との間から木製連結材１４ｂを取り外すことができる。その結果、脚部１１，１２及び端部側平台１３の連結や取り外しを短時間で行うことができ、ひいては、木製陳列台１０を短時間で組立・分解することができる。
【００４０】
（２）本実施形態の木製陳列台１０は、外側脚部１１と内側脚部１２と端部側平台１３とを連結することにより構成されている。この端部側平台１３は、外側脚部１１よりも設置面積が大きいため、安定性が高い。よって、端部側平台１３に対して木製連結材１４ｂを連結する際においても、端部側平台１３が倒れにくいため、木製陳列台１０の組立時の作業性を向上させることができる。しかも、端部側平台１３は、商品が載置可能な木製平板４５を有するため、脚部ではなく端部側平台１３を端部ユニットとして用いることにより、商品の陳列面積を容易に増やすことができる。
【００４１】
また、一対の脚部を立設し、一方の脚部に対してさらに端部側平台を連結することも考えられるが（図１６，図１７参照）、本実施形態の木製陳列台１０は、端部側平台が連結されるべき脚部を端部側平台１３に変更したものと言うことができる。つまり、一方の脚部が不要になり、木製陳列台１０を構成する部品点数が削減されるため、木製陳列台１０の製作コストを低減させることができる。
【００４２】
（３）例えば、オス側金具に板状の鉤部（突部）を設けるとともにメス側金具にスリット孔（孔部）を設け、鉤部をスリット孔に係合させることにより、オス側金具をメス側金具に係合させることも考えられる。しかしながら、鉤部は薄い板状をなすため、鉤部とスリット孔との係合部分に外力が作用すると、変形しやすいという問題がある。また、鉤部を幅狭のスリット孔に入れ込んだ構造であることから、鉤部とスリット孔との摩擦力が大きいため、スリット孔から鉤部を取り外すことが困難である。よって、例えば、店舗間での木製陳列台１０の移設や、店内でのレイアウト変更に伴う木製陳列台１０の移動等を行うにあたり、木製陳列台１０の分解が必要になった場合には、木製陳列台１０の分解を職人に依頼する必要がある。また、無理に分解すると、各パーツの変形や破損に繋がるおそれもある。
【００４３】
一方、本実施形態では、オス側金具７１の突部７４は、断面略Ｔ字状、即ち、平面的なものではなく立体的なものであるため、突部７４が例えば板状をなす場合に比べて強度が高い。よって、突部７４と孔部８３との係合部分、即ち、外側脚部１１と木製連結材１４ａとの接合部分、内側脚部１２と木製連結材１４ａ，１４ｂとの接合部分、及び、端部側平台１３と木製連結材１４ｂとの接合部分に外力が作用したとしても、接合部分が破損しにくくなる。その結果、脚部１１，１２と木製連結材１４ａ，１４ｂとの接合強度や端部側平台１３と木製連結材１４ｂとの接合強度を高めることができる。また、本実施形態では、突部７４と孔部８３との係合時において、軸部７５の外周面の一部のみが孔部８３の内周面に接触するため、両者の間に生じる摩擦力は小さい。よって、脚部１１，１２や端部側平台１３から木製連結材１４ａ，１４ｂを取り外す際に、突部７４を孔部８３から容易に取り外すことができるため、職人に依頼しなくても、木製陳列台１０を短時間で分解することができる。
【００４４】
（４）本実施形態では、メス側金具８１の突片８８に設けられた突片用ネジ孔８９に対して、脚部１１，１２の柱部２１，３１や端部側平台１３のこぼれ止め板４６を挿通した木ネジ９１を螺着しており、木ネジ９１の螺着方向は、メス側金具８１の孔部８３に対するオス側金具７１の突部７４の係合方向とは別方向となっている（図１１，図１２参照）。その結果、メス側金具８１に対して複数方向から外力が作用したとしても、メス側金具８１が破損しにくくなるため、脚部１１，１２や端部側平台１３に対するメス側金具８１の取付強度が高くなる。
【００４５】
［第２実施形態］
以下、本考案を具体化した第２実施形態を図面に基づいて説明する。ここでは、前記第１実施形態と相違する部分を中心に説明する。
【００４６】
詳述すると、図１６，図１７に示されるように、本実施形態の木製陳列台１００では、一対存在する外側脚部１０１ａ，１０１ｂ（端部ユニット）のうち、一方の外側脚部１０１ｂに対して端部側平台１０２が連結されている。また、外側脚部１０１ａ及び内側脚部１０３（中間ユニット）が一対の木製連結材１０４ａを介して連結されるとともに、内側脚部１０３及び外側脚部１０１ｂが一対の木製連結材１０４ｂを介して連結されている。そして、木製連結材１０４ａ，１０４ｂの両端面、及び、端部側平台１０２を構成するこぼれ止め板１０５の両端面には、オス側金具１０６がそれぞれ取り付けられている。一方、外側脚部１０１ａを構成する柱部１０７の上端部、内側脚部１０３を構成する柱部１０８の上端部、及び、外側脚部１０１ｂを構成する柱部１０９の上端部には、オス側金具１０６が係脱可能なメス側金具１１０がそれぞれ取り付けられている。
【００４７】
次に、木製陳列台１００の組立方法を説明する。本実施形態では、第１工程（図１７の〈１〉参照）において、一対の木製連結材１０４ａの端部を外側脚部１０１ａに連結するとともに、一対の木製連結材１０４ｂの端部を外側脚部１０１ｂに連結している。また、前記第１実施形態と同様の第２工程（図１７の〈２〉参照）〜第５工程（図１７の〈５〉参照）を行った後に第６工程（図１７の〈６〉参照）を行い、外側脚部１０１ｂに対して端部側平台１０２を連結する。この時点で、木製陳列台１００が完成する。
【００４８】
従って、本実施形態の木製陳列台１００では、木製連結材１０４ａ，１０４ｂ及び端部側平台１０２に取り付けられたオス側金具１０６を、脚部１０１ａ，１０１ｂ，１０３に取り付けられたメス側金具１１０に係合させるだけで、脚部１０１ａ，１０１ｂ，１０３を木製連結材１０４ａ，１０４ｂを介して連結することができ、端部側平台１０２を外側脚部１０１ｂに連結することができる。また、オス側金具１０６をメス側金具１１０から取り外すだけで、外側脚部１０１ａと内側脚部１０３との間から木製連結材１０４ａを取り外すことができ、内側脚部１０３と外側脚部１０１ｂとの間から木製連結材１０４ｂを取り外すことができ、外側脚部１０１ｂから端部側平台１０２を取り外すことができる。その結果、脚部１０１ａ，１０１ｂ，１０３及び端部側平台１０２の連結や取り外しを短時間で行うことができ、ひいては、木製陳列台１００を短時間で組立・分解することができる。
【００４９】
また、木製陳列台１００は、外側脚部１０１ａ，１０１ｂと、両外側脚部１０１ａ，１０１ｂの間に位置する内側脚部１０３とからなる陳列台において、外側脚部１０１ｂに対して端部側平台１０２を連結した構成となっている。この端部側平台１０２は、商品が載置可能な木製平板１１１を有するため、商品の陳列面積を後付けで容易に増やすことができる。
【００５０】
［第３実施形態］
以下、本考案を具体化した第３実施形態を図面に基づいて説明する。ここでは、前記第１実施形態と相違する部分を中心に説明する。
【００５１】
詳述すると、図１８，図１９に示されるように、本実施形態の木製陳列台１２０では、外側脚部１２１ａ（端部ユニット）及び内側脚部１２２（中間ユニット）が一対の木製連結材１２３ａを介して連結されるとともに、内側脚部１２２及び外側脚部１２１ｂ（端部ユニット）が一対の木製連結材１２３ｂを介して連結されている。そして、木製連結材１２３ａ，１２３ｂの両端面には、オス側金具１２４がそれぞれ取り付けられている。一方、外側脚部１２１ａを構成する柱部１２５の上端部、内側脚部１２２を構成する柱部１２６の上端部、及び、外側脚部１２１ｂを構成する柱部１２７の上端部には、オス側金具１２４が係脱可能なメス側金具１２８がそれぞれ取り付けられている。
【００５２】
次に、木製陳列台１２０の組立方法を説明する。本実施形態では、第１工程（図１９の〈１〉参照）において、一対の木製連結材１２３ａの端部を外側脚部１２１ａに連結するとともに、一対の木製連結材１２３ｂの端部を外側脚部１２１ｂに連結している。そして、前記第１実施形態と同様の第２工程（図１９の〈２〉参照）〜第５工程（図１９の〈５〉参照）を行うことにより、木製陳列台１２０が完成する。
【００５３】
従って、本実施形態の木製陳列台１２０は、木製連結材１２３ａ，１２３ｂに取り付けられたオス側金具１２４を、脚部１２５〜１２７に取り付けられたメス側金具１２８に係合させるだけで、脚部１２５〜１２７を木製連結材１２３ａ，１２３ｂを介して連結することができる。また、オス側金具１２４をメス側金具１２８から取り外すだけで、外側脚部１２１ａと内側脚部１２２との間から木製連結材１２３ａを取り外すことができ、内側脚部１２２と外側脚部１２１ｂとの間から木製連結材１２３ｂを取り外すことができる。その結果、脚部１２５〜１２７の連結や取り外しを短時間で行うことができ、ひいては、木製陳列台１２０を短時間で組立・分解することができる。
【００５４】
なお、上記各実施形態を以下のように変更してもよい。
【００５５】
・上記第１実施形態の木製陳列台１０では、両端に位置する一対の端部ユニットのうち、一方の端部ユニットが外側脚部１１であり、もう一方の端部ユニットが端部側平台１３となっていた。しかし、図２０の木製陳列台１３０に示されるように、両方の端部ユニットが端部側平台１３１となっていてもよい。
【００５６】
・上記第２実施形態の木製陳列台１００では、一対の外側脚部１０１ａ，１０１ｂのうち、一方の外側脚部１０１ｂに対して端部側平台１０２が連結されていた。しかし、図２１の木製陳列台１４０に示されるように、一対の外側脚部１４１の両方に対して、端部側平台１４２をそれぞれ連結してもよい。
【００５７】
・上記各実施形態の木製陳列台１０，１００，１２０では、１つの内側脚部１２，１０３，１２２が中間ユニットとして用いられていたが、図２２の木製陳列台１５０に示されるように、２つの内側脚部１５１を中間ユニットとして用いてもよいし、３つ以上の内側脚部を中間ユニットとして用いてもよい。
【００５８】
・上記各実施形態の木製陳列台１０，１００，１２０では、内側脚部１２，１０３，１２２が中間ユニットとして用いられていたが、商品が載置可能な平面視矩形状の内側平台を、中間ユニットとして用いてもよい。
【００５９】
・上記第２実施形態の木製陳列台１００では、外側脚部１０１ｂにメス側金具１１０が取り付けられ、端部側平台１０２に、メス側金具１１０に係合するオス側金具１０６が取り付けられていた。しかし、端部側平台１０２にメス側金具を取り付けるとともに、外側脚部１０１ｂに、メス側金具に係合するオス側金具を取り付けてもよい。このようにすれば、外側脚部１０１ｂと端部側平台１０２との連結時に、外側脚部１０１ｂよりも重い端部側平台１０２を持ち上げる作業が不要になる。
【００６０】
・上記各実施形態では、メス側金具８１，１１０，１２８の上端部であって、メス側金具８１，１１０，１２８の幅方向における中央に突片８８が配置されていた。しかし、突片８８は、メス側金具８１，１１０，１２８の下端部に配置されていてもよいし、メス側金具８１，１１０，１２８の左端部や右端部に配置されていてもよい。また、突片８８は、複数設けられていてもよいし、省略されていてもよい。
【００６１】
・上記各実施形態のオス側金具７１，１０６，１２４は、同オス側金具７１，１０６，１２４の右側または左側の外縁部（図１４（ａ）では右側の外縁部）を直角に折り曲げてなる折曲部７７を有していた。しかし、折曲部７７を、オス側金具７１，１０６，１２４の上側や下側の外縁部を直角に折り曲げることによって形成してもよい。また、折曲部７７は、複数設けられていてもよいし、省略されていてもよい。さらに、折曲部７７を形成する代わりに、折曲部７７と同一形状をなす板材を、溶接等によりオス側金具７１，１０６，１２４の外縁部に接続してもよい。
【００６２】
・上記第１実施形態では、木製補強材１５ａの両端部を、外側脚部１１の切欠凹部２６の底面上及び内側脚部１２の切欠凹部３５ａの底面上に載置するとともに、木製補強材１５ｂの両端部を、内側脚部１２の切欠凹部３５ｂの底面上及び端部側平台１３の切欠凹部４８の底面上に載置していた。しかし、木製補強材１５ａの両端部を挿通したネジの先端部を、切欠凹部２６の底面と切欠凹部３５ａの底面とにそれぞれ螺着させるとともに、木製補強材１５ｂの両端部を挿通したネジの先端部を、切欠凹部３５ｂの底面と切欠凹部４８の底面とにそれぞれ螺着させてもよい。このようにすれば、外側脚部１１と内側脚部１２との連結強度や、内側脚部１２と端部側平台１３との連結強度がいっそう高くなる。
【００６３】
・上記第１，第２実施形態の木製陳列台１０，１００では、外側脚部１１，１０１ａ，１０１ｂの柱部２１，１０７，１０９の下端面、内側脚部１２，１０３の柱部３１，１０８の下端面、及び、端部側平台１３，１０２の底板部４２の下面にそれぞれキャスター２７が取り付けられ、各キャスター２７によって木製陳列台１０，１００を支持していた。しかし、各キャスター２７を省略してもよいし、キャスター２７の代わりに、アジャスター等の他の支持体を用いてもよい。また、上記第３実施形態の木製陳列台１２０において、外側脚部１２１ａ，１２１ｂの柱部１２５，１２７の下端面、及び、内側脚部１２２の柱部１２６の下端面に対して、それぞれキャスター２７やアジャスター等の支持体を取り付けてもよい。
【符号の説明】
【００６４】
１０，１００，１３０，１４０，１５０…木製陳列台
１１，１０１ａ，１０１ｂ，１２１ａ，１２１ｂ，１４１…端部ユニット及び脚部としての外側脚部
１２，１０３，１２２，１５１…中間ユニット及び脚部としての内側脚部
１３，１３１…端部ユニット及び平台としての端部側平台
１４ａ，１４ｂ，１０４ａ，１０４ｂ，１２３ａ，１２３ｂ…木製連結材
１５ａ，１５ｂ…木製補強材
１６ａ，１６ｂ…木製平板
５３…木製連結材の端面
７１，１０６，１２４…オス側金具
７３…オス側金具の表面
７４…突部
８１，１１０，１２８…メス側金具
８３…孔部
【図１】
0003222228.tif 000003
【図２】
0003222228.tif 000004
【図３】
0003222228.tif 000005
【図４】
0003222228.tif 000006
【図５】
0003222228.tif 000007
【図６】
0003222228.tif 000008
【図７】
0003222228.tif 000009
【図８】
0003222228.tif 000010
【図９】
0003222228.tif 000011
【図１０】
0003222228.tif 000012
【図１１】
0003222228.tif 000013
【図１２】
0003222228.tif 000014
【図１３】
0003222228.tif 000015
【図１４】
0003222228.tif 000016
【図１５】
0003222228.tif 000017
【図１６】
0003222228.tif 000018
【図１７】
0003222228.tif 000019
【図１８】
0003222228.tif 000020
【図１９】
0003222228.tif 000021
【図２０】
0003222228.tif 000022
【図２１】
0003222228.tif 000023
【図２２】
0003222228.tif 000024